(57)【要約】      （修正有）【課題】演出物の脱落を防止するとともに、色彩の発色が良いマグネットパネルシアターを提供する。【解決手段】枠とめした鉄製薄板１に、厚紙と磁石または厚紙４とマグネットシート５と不織布６を使用して脱着自在の演出物３を製作して演出掲示板上で演じる。磁力を利用しているので照明装置、動力装置や立体演出物等の少し重みのある演出物が脱着出来る。【選択図】図１
0003207735.tif 000002
【実用新案登録請求の範囲】
【請求項１】
鉄製薄板を枠止めした装置に厚紙と磁石類を含む演出物が脱着自在なマグネットパネルシアター。
【請求項２】
前記演出物は磁石類を含む基礎版が照明装置と演出物の動作装置を支持してなる請求項１記載のマグネットパネルシアター。
【請求項３】
前記演出物の製作素材は厚紙にマグネットシートと不織布を接着剤で貼付したものからなる請求項１のマグネットパネルシアター。
【考案の詳細な説明】
【技術分野】
【０００１】    本考案はパネルシアターに関する。
【背景技術】
【０００２】      従来パネルシアターはベニア板又は厚紙を芯材としてその上部にネル布を貼付してパネルシアターの演出掲示板とした。これに用いる演出物は不織布にその物語を構成する要素の絵を描き、これを切り抜いて演出物を制作して物語の進行と共にこれを演出掲示板上に随時脱着して物語を演じる人形劇の一種類である。（例えば特許文献１  非特許文献１）【０００３】      パネルシアターはネル布の繊維と不織布の繊維の絡みつきの作用を利用しているので風力や演者の袖が触れる程度の衝撃でも演出物が脱落する。またこのような構造の為、少し重みのある演出物や立体的演出物は演出掲示板上に貼付できない欠点がる。またパネルシアター演出物の素材は不織布であるが、これは通常の紙と比較すると繊維と繊維の間に隙間があり、絵具類や印刷インクで着色する際はその繊維間に絵具類や印刷インクが多く吸着されて紙類と比較するときれいに発色しない欠点がある。
【先行技術文献】
【特許文献１】
【０００４】
【特許文献１】実用新案登録第３０８７６２公報
【非特許文献】
【０００５】
【非特許文献１】「ワンダーブックの保育用品総合カタログ  ２０１５−２０１６」，世界文化社，２０１５年−２０１６，Ｐ４６４
【考案の概要】
【考案が解決しようとする課題】
【０００６】    パネルシアターの演出物は少しの衝撃で脱落することがあり、この構造上から立体演出物や照明装置や動力装置を備えた演出物、いわゆる仕掛け演出物は演出掲示板上で演出できない。また演出物に使用する不織布は絵具類や印刷インクの発色が良くない。このような欠点を解消するために鉄製薄板と磁石類を使用して磁力により吸着力を増加した。また演出物表面は厚紙を用いて、上記の欠点を解決したマグネットパネルシアターの装置を提供することを目的としている。
【課題を解決するための手段】
【０００７】    上記目的を達成するために本考案にかかるマグネットパネルシアターの装置は演出掲示板を鉄製薄板にして上下左右の端部分を枠で枢止し、演出物は磁石類を用いての脱落を防止とするとともに、少し重みのある演出物や立体演出物、それに照明装置や動作装置は、木材もしくは合成樹脂または厚紙からなる基礎板上に支持している。演出物素材は厚紙に磁石を接着剤で貼付したもの、若しくは厚紙にマグネットシートを接着剤で貼付したもの、又は厚紙にマグネットシートとその下部に不織布を接着剤で貼付したものの三種類を提供している。いずれも演出物の上部分に厚紙を使用して絵具類や印刷インクの発色を良くして前記の問題点を解決している。
【考案の効果】
【０００８】      以上の説明から明らかなように、本考案にあっては次に列挙する効果が得られる。
（１）      鉄製薄板に厚紙と不織布および磁石またはマグネットシートを使用して脱着自在のマグネットパネルシアターで構成されているので演出物の脱落を防止することができる。【０００９】    （２）演出物は基礎板上に磁石を含む照明装置と動力装置を支持しているので、これを演出掲示板上で演じることができる。【００１０】    （３）演出物は基礎板と磁石類を使用しているので立体演出物を演出掲示板上で演じることができる。【００１１】    （４）パネルシアター演出物の製作素材は不織布だけであるが、マグネットパネルシアター製作素材の中で厚紙にマグネットシートとその下部に不織布を接着剤で貼付した製作素材は、マグネットパネルシアターとパネルシアターのどちらでも使用できる。【００１２】    （５）演出物上部に厚紙を使用しているので絵具類や印刷インクの色彩発色が良い効果が得られる。
【図面の簡単な説明】
【００１３】
【図１】本考案を実施するための実施例の説明図であり（Ａ）マグネットパネルシアターの正面図（Ｂ）平面演出物の斜視図である。
【図２】マグネットパネルシアターの断面図である。
【図３】パネルシアターとマグネットパネルシアターの両方に使用する演出物素材の断面図である。
【図４】演出物の正面図である
【図５】演出物の背面図である。
【図６】演出物素材の背面図である。
【図７】立体演出物の斜視図である。
【図８】立体演出物をマグネットパネルシアターに取付けた時の断面図である。
【図９】照明装置と動力装置使用した例の演出物の斜視図である。
【図１０】照明装置と動力装置と電池回路の回路図である。
【考案を実施するための形態】
【００１４】      演出者はその物語の進行とともに演出掲示板上に、磁力を利用した平面または立体の演出物を適宜脱着する。また照明装置や動力装置を備えた演出物はその必要に応じて点燈や始動をして演出をする。
【００１５】      以下、本考案の実施の形態を図に基づいて説明する。
【実施例１】
【００１６】    図１はマグネットパネルシアター演出掲示板と演出物でその説明図である。演出掲示板は鉄製薄板１枠２で上下左右の端部分を、木材もしくは合成樹脂または金属から成り立つ枠板２で枢止している。図２はその断面図である。演出物は平面演出物３で厚紙４とマグネットシート５と不織布６から成り立ちいずれも接着剤７で貼付されている。図３はその断面図である。
【実施例２】
【００１７】    図４図５の演出物は平面演出物でマグネットパネルシアター専用の構造である。厚紙４の上に絵が描いてあり、その裏面に磁石８を接着剤７で貼付したものである。図６は演出物素材の背面図で厚紙４の上に絵を描きマグネットシート５に接着材７で貼付したものである。
【実施例３】
【００１８】    立体演出物９図７の背面に接着材７で基礎板１０と磁石８を取り付ける。図８は演出掲示板上に取り付けた断面図である。
【実施例４】
【００１９】    図９は照明装置と動力装置を備えた演出物の斜視図であり演出物は基礎板１０上に支持されている。図１０はその部分回路図でＬＥＤ電球１１と小型動力モーターと１２はスイッチと１３電池１４とが各回路を結ぶリード線１５接続されている。
【産業上の利用可能性】
【００２０】      マグネットパネルシアターは、保育園幼稚園小学校等の保育、教育機関と老人ホーム等の介護福祉機関で利用される。
【符号の説明】
【００２１】    １    鉄製薄板
２    枠
３    平面演出物
４    厚紙
５    マグネットシート
６    不織布
７    接着材
８    磁石
９    立体演出物
１０  基礎板
１１  照明装置ＬＥＤ電球
１２  小型動力モーター
１３  押圧スイッチ
１４  電池
１５  リード線
【図１】
0003207735.tif 000003
【図２】
0003207735.tif 000004
【図３】
0003207735.tif 000005
【図４】
0003207735.tif 000006
【図５】
0003207735.tif 000007
【図６】
0003207735.tif 000008
【図７】
0003207735.tif 000009
【図８】
0003207735.tif 000010
【図９】
0003207735.tif 000011
【図１０】
0003207735.tif 000012